(57)【要約】【課題】コンピュータの操作性を向上させる。【解決手段】コンピュータは、画面に表示されたボタン１１に対するタップ操作またはクリック操作を検出し、ボタン１１に対する１回目のタップ操作またはクリック操作が検出されたときに、ボタン１１の近くに吹き出し１２の形で、操作者に対して処理実行の確認を求める確認表示を行い、吹き出し１２が表示されている状態でボタン１１に対する２回目のタップ操作またはクリック操作が検出されたときに、吹き出し１２を消して、ボタン１１に対応する処理を実行する。【選択図】  図３
2015176270.tif 000002
【特許請求の範囲】
【請求項１】
ＣＰＵと記憶装置とを備えたコンピュータにおいて操作者の画面操作に応じた処理を実行する操作方法であって、
画面に表示されたボタンに対するタップ操作またはクリック操作を検出する操作受付ステップと、
前記ボタンに対する１回目のタップ操作またはクリック操作が検出されたときに、前記ボタンの近くに吹き出しの形で、操作者に対して処理実行の確認を求める確認表示を行う確認表示ステップと、
前記吹き出しが表示されている状態で前記ボタンに対する２回目のタップ操作またはクリック操作が検出されたときに、前記吹き出しを消して、前記ボタンに対応する処理を実行する実行ステップとを、前記記憶装置に記憶されたプログラムに従って前記ＣＰＵに実行させることを特徴とするコンピュータの操作方法。
【請求項２】
請求項１記載のコンピュータの操作方法において、
前記操作受付ステップは、前記吹き出しが表示されたときから所定のタップ入力待ち時間が経過するまで、前記ボタンに対する２回目のタップ操作またはクリック操作を無視するステップを含むことを特徴とするコンピュータの操作方法。
【請求項３】
請求項１または２記載のコンピュータの操作方法において、
さらに、前記吹き出しが表示されたときから前記ボタンに対する２回目のタップ操作またはクリック操作がないまま所定の確認表示時間が経過したときに、前記吹き出しを消して、前記ボタンがタップ操作またはクリック操作される前の状態に戻すキャンセルステップを含むことを特徴とするコンピュータの操作方法。
【請求項４】
請求項１乃至３のいずれか１項に記載のコンピュータの操作方法において、
さらに、前記ボタンに対する１回目のタップ操作またはクリック操作が検出されたときに、前記ボタンを点滅または点灯させる点滅／点灯ステップを含み、
前記実行ステップは、前記吹き出しが表示されている状態で前記ボタンに対する２回目のタップ操作またはクリック操作が検出されたときに、前記ボタンの点滅または点灯を終了させて前記吹き出しを消し、前記ボタンに対応する処理を実行することを特徴とするコンピュータの操作方法。
【請求項５】
請求項４記載のコンピュータの操作方法において、
さらに、前記吹き出しが表示されたときから前記ボタンに対する２回目のタップ操作またはクリック操作がないまま所定の確認表示時間が経過したときに、前記ボタンの点滅または点灯を終了させる点滅／点灯終了ステップを含むことを特徴とするコンピュータの操作方法。
【請求項６】
ＣＰＵと記憶装置とを備えたコンピュータにおいて操作者の画面操作に応じた処理を実行する操作方法であって、
画面に表示されたボタンに対するタップ操作またはクリック操作を検出する操作受付ステップと、
前記ボタンに対する１回目のタップ操作またはクリック操作が検出されたときに、前記ボタンに表示する文字または図柄を変更する表示変更ステップと、
前記ボタンの表示が変更されている状態で前記ボタンに対する２回目のタップ操作またはクリック操作が検出されたときに、前記ボタンの表示を変更前の状態に戻して、前記ボタンに対応する処理を実行する実行ステップとを、前記記憶装置に記憶されたプログラムに従って前記ＣＰＵに実行させることを特徴とするコンピュータの操作方法。
【請求項７】
請求項６記載のコンピュータの操作方法において、
前記操作受付ステップは、前記ボタンの表示が変更されたときから所定のタップ入力待ち時間が経過するまで、前記ボタンに対する２回目のタップ操作またはクリック操作を無視するステップを含むことを特徴とするコンピュータの操作方法。
【請求項８】
請求項６または７記載のコンピュータの操作方法において、
さらに、前記ボタンの表示が変更されたときから前記ボタンに対する２回目のタップ操作またはクリック操作がないまま所定の確認表示時間が経過したときに、前記ボタンの表示を変更前の状態に戻して、前記ボタンがタップ操作またはクリック操作される前の状態に戻すキャンセルステップを含むことを特徴とするコンピュータの操作方法。
【請求項９】
ＣＰＵと記憶装置とを備えたコンピュータにおいて操作者の画面操作に応じた処理を実行する操作方法であって、
画面に表示されたテキストボックスに対するタップ操作またはクリック操作を検出する第１の操作受付ステップと、
前記タップ操作またはクリック操作されたテキストボックスに対する数値入力を検出する第２の操作受付ステップと、
前記タップ操作またはクリック操作されたテキストボックスに入力された数値が所定の数値範囲外のときに、範囲内の数値を入力するように促す表示を吹き出しの形で前記テキストボックスの近くに表示する確認表示ステップと、
前記吹き出しが表示されている状態で前記テキストボックスに対する２回目のタップ操作またはクリック操作が検出されたときに、前記テキストボックスに表示する数値を変更前の値に戻して前記吹き出しを消し、前記テキストボックスに入力された数値が所定の数値範囲内のときは、入力された数値を確定させる実行ステップとを、前記記憶装置に記憶されたプログラムに従って前記ＣＰＵに実行させることを特徴とするコンピュータの操作方法。
【請求項１０】
請求項９記載のコンピュータの操作方法において、
さらに、前記吹き出しが表示されたときから前記テキストボックスに対する２回目のタップ操作またはクリック操作がないまま所定の確認表示時間が経過したときに、前記テキストボックスに表示する数値を変更前の値に戻して前記吹き出しを消し、前記テキストボックスがタップ操作またはクリック操作される前の状態に戻すキャンセルステップを含むことを特徴とするコンピュータの操作方法。
【請求項１１】
ＣＰＵと記憶装置とを備えたコンピュータにおいて、
前記記憶装置に格納されたプログラムに従って前記ＣＰＵは、
画面に表示されたボタンに対するタップ操作またはクリック操作を検出する操作受付手段と、
前記ボタンに対する１回目のタップ操作またはクリック操作が検出されたときに、前記ボタンの近くに吹き出しの形で、操作者に対して処理実行の確認を求める確認表示を行い、前記吹き出しが表示されている状態で前記ボタンに対する２回目のタップ操作またはクリック操作が検出されたときに、前記吹き出しを消して、前記ボタンに対応する処理を実行する処理実行手段として機能することを特徴とするコンピュータ。
【請求項１２】
ＣＰＵと記憶装置とを備えたコンピュータにおいて、
前記記憶装置に格納されたプログラムに従って前記ＣＰＵは、
画面に表示されたボタンに対するタップ操作またはクリック操作を検出する操作受付手段と、
前記ボタンに対する１回目のタップ操作またはクリック操作が検出されたときに、前記ボタンに表示する文字または図柄を変更し、前記ボタンの表示が変更されている状態で前記ボタンに対する２回目のタップ操作またはクリック操作が検出されたときに、前記ボタンの表示を変更前の状態に戻して、前記ボタンに対応する処理を実行する処理実行手段として機能することを特徴とするコンピュータ。
【請求項１３】
ＣＰＵと記憶装置とを備えたコンピュータにおいて、
前記記憶装置に格納されたプログラムに従って前記ＣＰＵは、
画面に表示されたテキストボックスに対するタップ操作またはクリック操作、および前記タップ操作またはクリック操作されたテキストボックスに対する数値入力を検出する操作受付手段と、
前記タップ操作またはクリック操作されたテキストボックスに入力された数値が所定の数値範囲外のときに、範囲内の数値を入力するように促す表示を吹き出しの形で前記テキストボックスの近くに表示し、前記吹き出しが表示されている状態で前記テキストボックスに対する２回目のタップ操作またはクリック操作が検出されたときに、前記テキストボックスに表示する数値を変更前の値に戻して前記吹き出しを消し、前記テキストボックスに入力された数値が所定の数値範囲内のときは、入力された数値を確定させる処理実行手段として機能することを特徴とするコンピュータ。
【発明の詳細な説明】
【技術分野】
【０００１】
本発明は、デスクトップ型コンピュータ、ノートブック型コンピュータ、タブレット端末、スマートフォンなどのコンピュータの操作方法に関するものである。
【背景技術】
【０００２】
従来のコンピュータにおけるヒューマン・マシン・インターフェース（ＨＭＩ）では、コンピュータ上でアプリケーションを起動して、ダブルクリックで操作していることが多かった。現在は、タブレット端末とスマートフォンが普及したため、デスクトップ型のコンピュータの場合もＷｅｂアプリケーションを使う際に、画面をタップ（画面を指で軽く叩くようにする操作）したり、シングルクリック（マウスの左ボタンを１回クリックする操作）したりすることが多くなり、ＨＭＩの画面表示と操作方法が変わってきている。以降の説明では、シングルクリックも含めて、タップと記述する。
【０００３】
タップにより、コンピュータの操作性が上がり、操作者がスムーズな操作を行えるようになった。その反面、システム監視で機器を運転する時などに操作が簡単にできてしまい、誤操作の恐れがあるため、操作者に対して確認を求めたり警告したりする場合がある。従来の技術では、画面にウィンドウで確認表示や警告表示を出すようにしている。操作者は、次の操作に移る場合は、ウィンドウの中のボタンをタップすることで対応している（特許文献１参照）。
【０００４】
例えば図１１の例では、操作者が機器を操作しようして、画面１００上のボタン１０１をタップすると、画面１００の中に操作者の確認を求める確認ウィンドウ１０２が表示され、確認ウィンドウ１０２の中にボタン１０３，１０４が表示される。操作者は、機器を操作する場合には「ＯＫ」と表示されたボタン１０３をタップし、操作を中止する場合には「キャンセル」と表示されたボタン１０４をタップする。
【先行技術文献】
【特許文献】
【０００５】
【特許文献１】特開２０００−０５６８８７号公報
【発明の概要】
【発明が解決しようとする課題】
【０００６】
従来の技術には以下のような問題点があった。
（Ａ）確認ウィンドウ１０２が、操作しようとするボタン１０１の位置とは無関係に表示されるため、操作性が悪い。
（Ｂ）確認待ち状態が無期限に継続してしまうことにより誤操作が誘発される可能性がある。
（Ｃ）連続操作を行う場合、確認ウィンドウ１０２の表示そのものが操作性を悪化させてしまい、本来実行しようと思っていないボタン１０３，１０４の操作を未確認のまま実行しまうことにより誤操作が誘発される可能性がある。
（Ｄ）確認ウィンドウ１０２の中に更にボタン１０３，１０４を表示するため、確認ウィンドウ１０２が大きくなり、確認ウィンドウ１０２の外に表示されている情報を確認できないまま、ボタン１０３，１０４を操作してしまうことにより誤操作が誘発される可能性がある。
（Ｅ）操作者がタップ操作をしたときに、操作対象のボタン内をタップしたのかボタン外をタップしたのかが分からない。
【０００７】
本発明は、上記課題を解決するためになされたもので、操作者にとっての操作性を向上させることができるコンピュータの操作方法を提供することを目的とする。
【課題を解決するための手段】
【０００８】
本発明は、ＣＰＵと記憶装置とを備えたコンピュータにおいて操作者の画面操作に応じた処理を実行する操作方法であって、画面に表示されたボタンに対するタップ操作またはクリック操作を検出する操作受付ステップと、前記ボタンに対する１回目のタップ操作またはクリック操作が検出されたときに、前記ボタンの近くに吹き出しの形で、操作者に対して処理実行の確認を求める確認表示を行う確認表示ステップと、前記吹き出しが表示されている状態で前記ボタンに対する２回目のタップ操作またはクリック操作が検出されたときに、前記吹き出しを消して、前記ボタンに対応する処理を実行する実行ステップとを、前記記憶装置に記憶されたプログラムに従って前記ＣＰＵに実行させることを特徴とするものである。
また、本発明のコンピュータの操作方法の１構成例において、前記操作受付ステップは、前記吹き出しが表示されたときから所定のタップ入力待ち時間が経過するまで、前記ボタンに対する２回目のタップ操作またはクリック操作を無視するステップを含むことを特徴とするものである。
【０００９】
また、本発明のコンピュータの操作方法の１構成例は、さらに、前記吹き出しが表示されたときから前記ボタンに対する２回目のタップ操作またはクリック操作がないまま所定の確認表示時間が経過したときに、前記吹き出しを消して、前記ボタンがタップ操作またはクリック操作される前の状態に戻すキャンセルステップを含むことを特徴とするものである。
また、本発明のコンピュータの操作方法の１構成例は、さらに、前記ボタンに対する１回目のタップ操作またはクリック操作が検出されたときに、前記ボタンを点滅または点灯させる点滅／点灯ステップを含み、前記実行ステップは、前記吹き出しが表示されている状態で前記ボタンに対する２回目のタップ操作またはクリック操作が検出されたときに、前記ボタンの点滅または点灯を終了させて前記吹き出しを消し、前記ボタンに対応する処理を実行することを特徴とするものである。
また、本発明のコンピュータの操作方法の１構成例は、さらに、前記吹き出しが表示されたときから前記ボタンに対する２回目のタップ操作またはクリック操作がないまま所定の確認表示時間が経過したときに、前記ボタンの点滅または点灯を終了させる点滅／点灯終了ステップを含むことを特徴とするものである。
【００１０】
また、本発明のコンピュータの操作方法は、画面に表示されたボタンに対するタップ操作またはクリック操作を検出する操作受付ステップと、前記ボタンに対する１回目のタップ操作またはクリック操作が検出されたときに、前記ボタンに表示する文字または図柄を変更する表示変更ステップと、前記ボタンの表示が変更されている状態で前記ボタンに対する２回目のタップ操作またはクリック操作が検出されたときに、前記ボタンの表示を変更前の状態に戻して、前記ボタンに対応する処理を実行する実行ステップとを、記憶装置に記憶されたプログラムに従ってＣＰＵに実行させることを特徴とするものである。
また、本発明のコンピュータの操作方法の１構成例において、前記操作受付ステップは、前記ボタンの表示が変更されたときから所定のタップ入力待ち時間が経過するまで、前記ボタンに対する２回目のタップ操作またはクリック操作を無視するステップを含むことを特徴とするものである。
また、本発明のコンピュータの操作方法の１構成例は、さらに、前記ボタンの表示が変更されたときから前記ボタンに対する２回目のタップ操作またはクリック操作がないまま所定の確認表示時間が経過したときに、前記ボタンの表示を変更前の状態に戻して、前記ボタンがタップ操作またはクリック操作される前の状態に戻すキャンセルステップを含むことを特徴とするものである。
【００１１】
また、本発明のコンピュータの操作方法は、画面に表示されたテキストボックスに対するタップ操作またはクリック操作を検出する第１の操作受付ステップと、前記タップ操作またはクリック操作されたテキストボックスに対する数値入力を検出する第２の操作受付ステップと、前記タップ操作またはクリック操作されたテキストボックスに入力された数値が所定の数値範囲外のときに、範囲内の数値を入力するように促す表示を吹き出しの形で前記テキストボックスの近くに表示する確認表示ステップと、前記吹き出しが表示されている状態で前記テキストボックスに対する２回目のタップ操作またはクリック操作が検出されたときに、前記テキストボックスに表示する数値を変更前の値に戻して前記吹き出しを消し、前記テキストボックスに入力された数値が所定の数値範囲内のときは、入力された数値を確定させる実行ステップとを、記憶装置に記憶されたプログラムに従ってＣＰＵに実行させることを特徴とするものである。
また、本発明のコンピュータの操作方法の１構成例は、さらに、前記吹き出しが表示されたときから前記テキストボックスに対する２回目のタップ操作またはクリック操作がないまま所定の確認表示時間が経過したときに、前記テキストボックスに表示する数値を変更前の値に戻して前記吹き出しを消し、前記テキストボックスがタップ操作またはクリック操作される前の状態に戻すキャンセルステップを含むことを特徴とするものである。
【００１２】
また、本発明は、ＣＰＵと記憶装置とを備えたコンピュータにおいて、前記記憶装置に格納されたプログラムに従って前記ＣＰＵが、画面に表示されたボタンに対するタップ操作またはクリック操作を検出する操作受付手段と、前記ボタンに対する１回目のタップ操作またはクリック操作が検出されたときに、前記ボタンの近くに吹き出しの形で、操作者に対して処理実行の確認を求める確認表示を行い、前記吹き出しが表示されている状態で前記ボタンに対する２回目のタップ操作またはクリック操作が検出されたときに、前記吹き出しを消して、前記ボタンに対応する処理を実行する処理実行手段として機能することを特徴とするものである。
【００１３】
また、本発明のコンピュータは、記憶装置に格納されたプログラムに従ってＣＰＵが、画面に表示されたボタンに対するタップ操作またはクリック操作を検出する操作受付手段と、前記ボタンに対する１回目のタップ操作またはクリック操作が検出されたときに、前記ボタンに表示する文字または図柄を変更し、前記ボタンの表示が変更されている状態で前記ボタンに対する２回目のタップ操作またはクリック操作が検出されたときに、前記ボタンの表示を変更前の状態に戻して、前記ボタンに対応する処理を実行する処理実行手段として機能することを特徴とするものである。
【００１４】
また、本発明のコンピュータは、記憶装置に格納されたプログラムに従ってＣＰＵが、画面に表示されたテキストボックスに対するタップ操作またはクリック操作、および前記タップ操作またはクリック操作されたテキストボックスに対する数値入力を検出する操作受付手段と、前記タップ操作またはクリック操作されたテキストボックスに入力された数値が所定の数値範囲外のときに、範囲内の数値を入力するように促す表示を吹き出しの形で前記テキストボックスの近くに表示し、前記吹き出しが表示されている状態で前記テキストボックスに対する２回目のタップ操作またはクリック操作が検出されたときに、前記テキストボックスに表示する数値を変更前の値に戻して前記吹き出しを消し、前記テキストボックスに入力された数値が所定の数値範囲内のときは、入力された数値を確定させる処理実行手段として機能することを特徴とするものである。
【発明の効果】
【００１５】
本発明によれば、ボタンに対する１回目のタップ操作またはクリック操作が検出されたときに、ボタンの近くに吹き出しの形で、操作者に対して処理実行の確認を求める確認表示を行い、吹き出しが表示されている状態でボタンに対する２回目のタップ操作またはクリック操作が検出されたときに、吹き出しを消して、ボタンに対応する処理を実行することにより、操作者にとっての操作性を向上させることができ、誤操作が誘発される可能性を低減することができる。
【００１６】
また、本発明では、吹き出しが表示されたときから所定のタップ入力待ち時間が経過するまで、ボタンに対する２回目のタップ操作またはクリック操作を無視することにより、誤操作が誘発される可能性を低減することができる。
【００１７】
また、本発明では、吹き出しが表示されたときからボタンに対する２回目のタップ操作またはクリック操作がないまま所定の確認表示時間が経過したときに、吹き出しを消して、ボタンがタップ操作またはクリック操作される前の状態に戻すことにより、誤操作が誘発される可能性を低減することができる。
【００１８】
また、本発明では、ボタンに対する１回目のタップ操作またはクリック操作が検出されたときに、ボタンを点滅または点灯させることにより、ボタンがタップされ操作待ちの状態であることを操作者に伝えることができる。
【００１９】
また、本発明では、ボタンに対する１回目のタップ操作またはクリック操作が検出されたときに、ボタンに表示する文字または図柄を変更し、ボタンの表示が変更されている状態でボタンに対する２回目のタップ操作またはクリック操作が検出されたときに、ボタンの表示を変更前の状態に戻して、ボタンに対応する処理を実行することにより、操作者に処理の内容を細かく伝えることができる。
【００２０】
また、本発明では、ボタンの表示が変更されたときから所定のタップ入力待ち時間が経過するまで、ボタンに対する２回目のタップ操作またはクリック操作を無視することにより、誤操作が誘発される可能性を低減することができる。
【００２１】
また、本発明では、ボタンの表示が変更されたときからボタンに対する２回目のタップ操作またはクリック操作がないまま所定の確認表示時間が経過したときに、ボタンの表示を変更前の状態に戻して、ボタンがタップ操作またはクリック操作される前の状態に戻すことにより、誤操作が誘発される可能性を低減することができる。
【００２２】
また、本発明では、タップ操作またはクリック操作されたテキストボックスに入力された数値が所定の数値範囲外のときに、範囲内の数値を入力するように促す表示を吹き出しの形でテキストボックスの近くに表示することにより、入力した値が間違っていることを操作者に伝えることができる。
【００２３】
また、本発明では、吹き出しが表示されたときからテキストボックスに対する２回目のタップ操作またはクリック操作がないまま所定の確認表示時間が経過したときに、テキストボックスに表示する数値を変更前の値に戻して吹き出しを消し、テキストボックスがタップ操作またはクリック操作される前の状態に戻すことにより、誤操作が誘発される可能性を低減することができる。
【図面の簡単な説明】
【００２４】
【図１】本発明の原理を説明する図である。
【図２】本発明の第１の実施の形態に係るコンピュータの構成を示すブロック図である。
【図３】本発明の第１の実施の形態に係る操作方法を説明する図である。
【図４】本発明の第１の実施の形態に係る操作方法を説明するフローチャートである。
【図５】本発明の第２の実施の形態に係る操作方法を説明する図である。
【図６】本発明の第２の実施の形態に係る操作方法を説明するフローチャートである。
【図７】本発明の第３の実施の形態に係る操作方法を説明する図である。
【図８】本発明の第３の実施の形態に係る操作方法を説明するフローチャートである。
【図９】本発明の第４の実施の形態に係る操作方法を説明する図である。
【図１０】本発明の第４の実施の形態に係る操作方法を説明するフローチャートである。
【図１１】従来の確認表示の例を示す図である。
【発明を実施するための形態】
【００２５】
［発明の原理１］
本発明では、操作対象のボタンから吹き出しで確認表示を出す。次の操作に移る場合は、操作対象のボタンを再度タップすることで対応する。例えば図１の例では、操作者が監視対象の機器を操作しようして、画面１０上のボタン１１をタップすると、ボタン１１の近くに吹き出し１２の形で確認表示が出される。
【００２６】
（１）本発明では、ボタンがタップされたときに、このボタンの近くに吹き出しで確認表示を出すことで、上記の（Ａ）の問題点を解決することができる。
（２）本発明では、確認表示を出したときからボタンが再度タップされることのないまま所定の確認表示時間が経過すると、ボタンのタップ操作を自動でキャンセルし、ボタンがタップされる前の状態に戻すことで、上記の（Ｂ）の問題点を解決することができる。
（３）本発明では、確認表示を出したときから所定のタップ入力待ち時間が経過するまで、ボタンに対する２回目のタップ操作を無視する（未確認のままの連続実行を不可とする）ことで、上記の（Ｃ）の問題点を解決することができる。
（４）本発明では、吹き出しの中に確認のためのボタンを設ける必要がなく、画面表示領域が小さくて済むため、画面全体の情報を確認後に処理を実行することができ、上記の（Ｄ）の問題点を解決することができる。
（５）本発明では、ボタンがタップされたときに、ボタンを点滅または点灯させることにより、上記の（Ｅ）の問題点を解決することができる。
【００２７】
［発明の原理２］
また、本発明では、ボタンがタップされたときに、ボタンに表示する文字または図柄を変更する。これにより、操作者に処理の内容を細かく伝えることができる。
【００２８】
［発明の原理３］
また、本発明では、テキストボックスがタップ操作され、テキストボックスに入力された数値が所定の数値範囲外のときに、範囲内の数値を入力するように促す表示を吹き出しの形でテキストボックスの近くに表示する。これにより、入力した値が間違っていることを操作者に伝えることができる。
【００２９】
［第１の実施の形態］
以下、本発明の実施の形態について図面を参照して説明する。図２は本発明の実施の形態に係るコンピュータの構成を示すブロック図である。図２において、１はＣＰＵ（Central Processing Unit）、２はＲＡＭ（Random Access Memory）やハードディスク装置等の記憶装置、３はインターフェイス装置（以下、Ｉ／Ｆと略する）である。Ｉ／Ｆ３には、表示および入力操作を行うためのタッチパネル４と、マウスやキーボード等の入力装置５などが接続される。
【００３０】
このようなコンピュータにおいて、本発明の操作方法を実現させるためのプログラムは、フレキシブルディスク、ＣＤ−ＲＯＭ、ＤＶＤ−ＲＯＭ、メモリカードなどの記録媒体に記録された状態で提供され、記憶装置２に格納される。ＣＰＵ１は、記憶装置２に記憶されたプログラムに従って本実施の形態および以降の実施の形態で説明する処理を実行する。
【００３１】
本実施の形態では、ＣＰＵ１は、記憶装置２に記憶されたプログラムに従って処理を実行することにより、操作者によるコンピュータに対する操作を受け付ける操作受付部６と、操作受付部６が検出した操作に応じた処理を実行する処理実行部７として機能する。
【００３２】
なお、本実施の形態および以降の実施の形態において、コンピュータとは、デスクトップ型コンピュータ、ノートブック型コンピュータ、タブレット端末、スマートフォンなどの様々なコンピュータを意味する。コンピュータの種類によっては、タッチパネル４の代わりに表示装置が設けられる場合があるが、タッチパネル４に表示する例で説明する。また、コンピュータの種類によっては、タッチパネル４のみが有って入力装置５が無かったりする等様々な構成があることは言うまでもない。
【００３３】
また、本実施の形態および以降の実施の形態では、タッチパネル４の画面に表示される操作対象を「ボタン」と表現するが、このボタンには、所謂「アイコン」も含まれる。また、本実施の形態および以降の実施の形態においては、操作者がタッチパネル４の画面をタップすることだけでなく、マウス等の入力装置５のボタンをシングルクリックすることも含めて「タップ」と記述する。
【００３４】
以下、本実施の形態の操作方法について図３（Ａ）〜図３（Ｄ）、図４を参照して詳細に説明する。本実施の形態では、処理実行部７がタッチパネル４の画面に、例えば機器の操作を開始するためのボタン１１を表示している場合について説明する。まず、操作受付部６は、ボタン１１に対するタップ操作を検出した場合（図３（Ａ）、図４ステップＳ１００においてＹＥＳ）、ボタン１１に対するタップ操作があったことを処理実行部７に通知する。この通知に応じて、処理実行部７は、ボタン１１の近くに吹き出し１２の形で、操作者に対して処理実行の確認を求める確認表示を行う（図３（Ｂ）、図４ステップＳ１０１）。
【００３５】
操作者は、所望の処理を開始したい場合には図３（Ｂ）に示すようにボタン１１を再度タップする（図４ステップＳ１０３においてＹＥＳ）。操作受付部６は、このタップ操作を検出して、ボタン１１に対するタップ操作があったことを処理実行部７に通知する。この通知に応じて、処理実行部７は、吹き出し１２の表示を消し、ボタン１１に対応する処理（例えば機器の操作など）を開始する（図３（Ｃ）、図４ステップＳ１０４）。
【００３６】
また、処理実行部７は、吹き出し１２を表示したときからボタン１１が再度タップされることのないまま確認表示時間が経過すると（図３（Ｄ）、図４ステップＳ１０５においてＹＥＳ）、ボタン１１に対する１回目のタップ操作を自動でキャンセルし、吹き出し１２の表示を消して、コンピュータをボタン１１がタップされる前の動作状態に戻す（図３（Ｃ）、図４ステップＳ１０６）。
【００３７】
ここで、吹き出し表示のオン（表示）／オフ（非表示）を、ボタン毎および操作者毎に予め設定しておくことが可能である。操作者が連続して同じ操作を行うような場合、吹き出し表示と２度のタップ操作が冗長な作業となり、かえって誤操作を誘発することがあるので、吹き出し表示をオフにできるようにする。処理実行部７は、操作者が設定した吹き出し表示のオン／オフ設定をボタン毎および操作者毎に記憶装置２に記憶させておく。処理実行部７は、ボタン１１の吹き出し表示がオフ設定の場合、当該ボタン１１が１回タップされた段階で、このボタン１１に対応する処理を開始する。また、処理実行部７は、ボタン１１の吹き出し表示がオン設定の場合、図３（Ａ）〜図３（Ｄ）で説明したように動作する。
【００３８】
また、上記の確認表示時間は、例えば２〜１０秒の範囲でボタン毎および操作者毎に予め設定しておくことが可能である。吹き出し１２を表示した後で、操作者がタップ操作を行わない場合がある。このような場合は、操作待ちが続いてしまうので、元の状態に戻すために、タイムアウト時間である確認表示時間を設定できるようにする。処理実行部７は、操作者が設定した確認表示時間をボタン毎および操作者毎に記憶装置２に記憶させておく。ただし、確認表示時間は、吹き出し表示がオン設定の場合のみ、設定できる。
【００３９】
また、吹き出し表示後のタップ操作無効期間であるタップ入力待ち時間を、例えば２〜５秒の範囲でボタン毎および操作者毎に予め設定しておくことが可能である。操作者がタップ操作を行う場合、吹き出し表示が出たことを見ない場合がある。そこで、操作者が直ぐに２度目のタップ操作をして次の操作に行かないようにするために、２度目のタップ操作を一定時間後にしか受け付けないようにする。具体的には、操作受付部６は、ボタン１１がタップ操作され、吹き出し１２が表示されたときからタップ入力待ち時間が経過するまで（図４ステップＳ１０２においてＹＥＳ）、同ボタン１１の再度のタップ操作を無視し、タップ入力待ち時間が経過した後にボタン１１の再度のタップ操作を受け付けるようにする。処理実行部７は、操作者が設定したタップ入力待ち時間をボタン毎および操作者毎に記憶装置２に記憶させておく。ただし、タップ入力待ち時間は、吹き出し表示がオン設定の場合のみ、設定できる。
【００４０】
こうして、本実施の形態では、操作者にとっての操作性を向上させることができ、誤操作が誘発される可能性を低減することができる。
【００４１】
［第２の実施の形態］
次に、本発明の第２の実施の形態について説明する。本実施の形態においてもコンピュータの構成は第１の実施の形態と同様であるので、図２の符号を用いて説明する。図５（Ａ）〜図５（Ｄ）は本実施の形態の操作方法を説明する図、図６は本実施の形態の操作方法を説明するフローチャートである。本実施の形態では、第１の実施の形態と同様に処理実行部７がタッチパネル４の画面に、例えば機器の操作を開始するためのボタン１１を表示している場合について説明する。
【００４２】
まず、操作受付部６は、ボタン１１に対するタップ操作を検出した場合（図５（Ａ）、図６ステップＳ２００においてＹＥＳ）、ボタン１１に対するタップ操作があったことを処理実行部７に通知する。この通知に応じて、処理実行部７は、ボタン１１の近くに吹き出し１２の形で操作者の確認を求める確認表示を行うと同時に、図５（Ｂ）に示すようにボタン１１の枠を点滅させるか、あるいは図５（Ｃ）に示すようにボタン１１自体を点滅させて、操作待ちの状態であることが分かるようにする（図６ステップＳ２０１）。
【００４３】
操作者は、所望の処理を開始したい場合には図５（Ｂ）あるいは図５（Ｃ）に示すようにボタン１１を再度タップする（図６ステップＳ２０３においてＹＥＳ）。操作受付部６は、このタップ操作を検出して、ボタン１１に対するタップ操作があったことを処理実行部７に通知する。この通知に応じて、処理実行部７は、ボタン１１の点滅を終了させて吹き出し１２の表示を消し、ボタン１１に対応する処理を開始する（図５（Ｄ）、図６ステップＳ２０４）。
【００４４】
また、処理実行部７は、吹き出し１２を表示したときからボタン１１が再度タップされることのないまま確認表示時間が経過すると（図５（Ｅ）、図５（Ｆ）、図６ステップＳ２０５においてＹＥＳ）、ボタン１１に対する１回目のタップ操作を自動でキャンセルし、ボタン１１の点滅を終了させて吹き出し１２の表示を消し、コンピュータをボタン１１がタップされる前の動作状態に戻す（図５（Ｄ）、図６ステップＳ２０６）。
【００４５】
本実施の形態では、ボタン１１の点滅のオン／オフを、ボタン毎および操作者毎に予め設定しておくことが可能である。処理実行部７は、操作者が設定した点滅のオン／オフ設定をボタン毎および操作者毎に記憶装置２に記憶させておく。処理実行部７は、ボタン１１の点滅がオン設定の場合、図５（Ａ）〜図５（Ｄ）で説明したように動作し、ボタン１１の点滅がオフ設定の場合、当該ボタン１１が１回タップされたときに、このボタン１１の点滅表示を実施しない。
【００４６】
吹き出し表示のオン／オフ設定、確認表示時間の設定、タップ入力待ち時間の設定については第１の実施の形態で説明したとおりである。
こうして、本実施の形態では、ボタン１１が最初にタップ操作されたときにボタン１１を点滅させることにより、ボタン１１がタップされ操作待ちの状態であることを操作者に伝えることができる。
なお、本実施の形態では、ボタン１１を点滅させているが、ボタン１１を点灯させてもよい。
【００４７】
［第３の実施の形態］
次に、本発明の第３の実施の形態について説明する。本実施の形態においてもコンピュータの構成は第１の実施の形態と同様であるので、図２の符号を用いて説明する。図７（Ａ）〜図７（Ｄ）は本実施の形態の操作方法を説明する図、図８は本実施の形態の操作方法を説明するフローチャートである。本実施の形態では、第１の実施の形態と同様に処理実行部７がタッチパネル４の画面に、例えば機器の操作を開始するためのボタン１１を表示している場合について説明する。
【００４８】
まず、操作受付部６は、ボタン１１に対するタップ操作を検出した場合（図７（Ａ）、図８ステップＳ３００においてＹＥＳ）、ボタン１１に対するタップ操作があったことを処理実行部７に通知する。この通知に応じて、処理実行部７は、ボタン１１に表示する文字を変更する（図７（Ｂ）、図８ステップＳ３０１）。図７（Ｂ）の例では、「開始」という表示から「機器を開始します」という表示に変更されている。
【００４９】
操作者は、所望の処理を開始したい場合には図７（Ｂ）に示すようにボタン１１を再度タップする（図８ステップＳ３０３においてＹＥＳ）。操作受付部６は、このタップ操作を検出して、ボタン１１に対するタップ操作があったことを処理実行部７に通知する。この通知に応じて、処理実行部７は、ボタン１１の表示を変更前の状態に戻し、ボタン１１に対応する処理を開始する（図７（Ｃ）、図８ステップＳ３０４）。
【００５０】
また、処理実行部７は、ボタン１１の表示を変更したときからボタン１１が再度タップされることのないまま確認表示時間が経過すると（図７（Ｄ）、図８ステップＳ３０５においてＹＥＳ）、ボタン１１に対する１回目のタップ操作を自動でキャンセルし、ボタン１１の表示を変更前の状態に戻して、コンピュータをボタン１１がタップされる前の動作状態に戻す（図７（Ｃ）、図８ステップＳ３０６）。
【００５１】
本実施の形態では、ボタン１１の表示変更のオン／オフを、ボタン毎および操作者毎に予め設定しておくことが可能である。処理実行部７は、操作者が設定した表示変更のオン／オフ設定をボタン毎および操作者毎に記憶装置２に記憶させておく。処理実行部７は、ボタン１１の表示変更がオン設定の場合、図７（Ａ）〜図７（Ｄ）で説明したように動作し、表示変更がオフ設定の場合、当該ボタン１１が１回タップされたときに、このボタン１１の表示を変更しない。
【００５２】
また、ボタン１１の表示変更後の確認表示時間は、第１の実施の形態と同様に例えば２〜１０秒の範囲でボタン毎および操作者毎に予め設定しておくことが可能である。ただし、確認表示時間は、ボタン１１の変更表示がオン設定の場合のみ、設定できる。
また、ボタン１１の表示時間後のタップ操作無効期間であるタップ入力待ち時間は、第１の実施の形態と同様に例えば２〜５秒の範囲でボタン毎および操作者毎に予め設定しておくことが可能である。ただし、タップ入力待ち時間は、ボタン１１の変更表示がオン設定の場合のみ、設定できる。
【００５３】
こうして、本実施の形態では、ボタン１１が最初にタップ操作されたときに、ボタン１１に対応する処理を直前の表示よりも詳細に説明するようにボタン１１の表示を変更することにより、操作者に処理の内容を細かく伝えることができる。本実施の形態では、「開始」という表示から「機器を開始します」という表示に変更しているが、例えば「開始」という表示から「攪拌を開始します」という表示に変更してもよい。
なお、本実施の形態では、ボタン１１に表示する文字を変更しているが、ボタン１１に表示する図柄を表示してもよい。
【００５４】
［第４の実施の形態］
次に、本発明の第４の実施の形態について説明する。本実施の形態においてもコンピュータの構成は第１の実施の形態と同様であるので、図２の符号を用いて説明する。図９（Ａ）〜図９（Ｅ）は本実施の形態の操作方法を説明する図、図１０は本実施の形態の操作方法を説明するフローチャートである。本実施の形態では、処理実行部７がタッチパネル４の画面に、例えば機器のパラメータ設定用のテキストボックス１３を表示している場合について説明する。
【００５５】
まず、操作受付部６は、テキストボックス１３に対するタップ操作を検出した場合（図９（Ａ）、図１０ステップＳ４００においてＹＥＳ）、テキストボックス１３に対するタップ操作があったことを処理実行部７に通知する。この通知に応じて、処理実行部７は、タッチパネル４の画面にオンスクリーンキーボード（不図示）を表示する。操作者は、オンスクリーンキーボードをタップ操作して所望の数値を入力する。操作受付部６は、操作者がオンスクリーンキーボードをタップ操作して入力した数値を処理実行部７に通知する（図１０ステップＳ４０１においてＹＥＳ）。なお、ここでは、オンスクリーンキーボードを操作する場合について説明しているが、キーボード等の入力装置５を用いて数値を入力してもよい。
【００５６】
処理実行部７は、操作受付部６からの通知に応じて、テキストボックス１３に表示する数値を、操作者が入力した数値に変更する（図９（Ｂ）、図１０ステップＳ４０２）。図９（Ｂ）の例では、最初に表示されていた数値「４０」から、入力された数値「３５」に変更される。また、処理実行部７は、操作者が入力した数値が所定の数値範囲外の場合（図１０ステップＳ４０３においてＹＥＳ）、範囲内の数値を入力するように促す表示を吹き出し１４の形でテキストボックス１３の近くに表示する（図９（Ｂ）、図１０ステップＳ４０４）。図９（Ｂ）の例では、４０以上で６０より小さい数値を入力するよう促す吹き出し１４が表示される。
【００５７】
図９（Ｂ）の状態で操作者がテキストボックス１３をタップ操作すると（図９（Ｃ）、図１０ステップＳ４０５においてＹＥＳ）、入力した数値が取り消される。すなわち、操作受付部６は、テキストボックス１３に対するタップ操作があったことを処理実行部７に通知する。この通知に応じて、処理実行部７は、テキストボックス１３に表示する数値を変更前の値に戻して吹き出し１４の表示を消し、コンピュータをテキストボックス１３の数値が変更される前の動作状態に戻す（図９（Ａ）、図１０ステップＳ４０６）。
【００５８】
また、処理実行部７は、操作者が入力した数値が所定の数値範囲内の場合（図１０ステップＳ４０３においてＮＯ）、吹き出し表示を実施しない。こうして、テキストボックス１３に入力された数値が確定する。図９（Ｄ）の例では、最初に表示されていた数値「４０」から「５０」に変更されている。
【００５９】
また、処理実行部７は、操作者が入力した数値が所定の数値範囲外で、吹き出し１４を表示したときからテキストボックス１３が再度タップされることのないまま確認表示時間が経過すると（図１０ステップＳ４０７においてＹＥＳ）、テキストボックス１３に対する１回目のタップ操作を自動でキャンセルし、テキストボックス１３に表示する数値を変更前の値に戻して吹き出し１４の表示を消し、コンピュータをテキストボックス１３の数値が変更される前の動作状態に戻す（図９（Ｅ）、図１０ステップＳ４０８）。
【００６０】
本実施の形態では、テキストボックス１３に入力する数値の範囲を、テキストボックス毎（パラメータの項目毎）および操作者毎に予め設定しておくことが可能である。処理実行部７は、操作者が設定した数値範囲をテキストボックス毎および操作者毎に記憶装置２に記憶させておく。
また、テキストボックス１３の数値入力後の確認表示時間は、第１の実施の形態と同様に例えば２〜１０秒の範囲でテキストボックス毎および操作者毎に予め設定しておくことが可能である。
【００６１】
こうして、本実施の形態では、テキストボックス１３がタップ操作され、テキストボックス１３に入力された数値が数値範囲外のときに、範囲内の数値を入力するように促す表示を吹き出し１４の形でテキストボックス１３の近くに表示することにより、入力した値が間違っていることを操作者に伝えることができる。
【００６２】
なお、第１〜第４の実施の形態では、操作者毎に設定する項目が存在するが、コンピュータにおいてはコンピュータへのログイン時にパスワード入力や指紋入力等の周知の技術によって操作者を判別できることは言うまでもない。
【産業上の利用可能性】
【００６３】
本発明は、コンピュータのヒューマン・マシン・インターフェース技術に適用することができる。
【符号の説明】
【００６４】
１…ＣＰＵ、２…記憶装置、３…インターフェイス装置、４…タッチパネル、５…入力装置、６…操作受付部、７…処理実行部。
【図１】
2015176270.tif 000003
【図２】
2015176270.tif 000004
【図３】
2015176270.tif 000005
【図４】
2015176270.tif 000006
【図５】
2015176270.tif 000007
【図６】
2015176270.tif 000008
【図７】
2015176270.tif 000009
【図８】
2015176270.tif 000010
【図９】
2015176270.tif 000011
【図１０】
2015176270.tif 000012
【図１１】
2015176270.tif 000013